(57)【特許請求の範囲】
【請求項１】
カード・書籍等の印刷物に電子回路を内蔵した電子回路内蔵印刷物に設けられた電池ホルダーであって、厚紙からなる基板に周回する折線を設けるとともに、この折線の内側を切り込み線により対向する一対の電極部と対向する一対の電池保持部とに区画するとともに、前記対向する一対の電極部には、導電性インキにより接点および回路パターンを印刷した電極シートを貼り合わせし、前記接点と保持する電池の電極とが接触し、前記回路パターンが印刷物の電子回路に接続するようにしたことを特徴とする折り畳み自在な電池ホルダー。
【請求項２】
カード・書籍等の印刷物に電子回路を内蔵した電子回路内蔵印刷物に設けられた電池ホルダーであって、該電池ホルダーは厚紙に電池と嵌合する開口部を設け、この開口部内に対向する一対の電極部と対向する一対の電池保持部とを設け、前記電極部の端部を越えて電極シートを延設し、電池を開口部に押し込んだときに前記電極シートの接点が電池の電極と弾性的に接触するように構成したことを特長とする電池ホルダー。
【請求項３】
該電極部の端部を越える電極シート部分を、印刷した接点が電池の電極に接するように、前記端部近傍にて折り曲げしたことを特徴とする請求項２記載の電池ホルダー。
【請求項４】
前記電池保持部はさらに電池装着時に電池を安定に保持する電池保持補助部材を備えたことを特徴とする請求項１または請求項２記載の電池ホルダー。
【請求項５】
電池保持補助部材が対向する電池保持部の凹部と凸部の切り込み形状により構成されていることを特長とする請求項４記載の電池ホルダー。
【請求項６】
電池保持補助部材が対向する電池保持部を結合する紙、布、フィルムの柔軟な帯からなることを特長とする請求項４記載の電池ホルダー。
【請求項７】
請求項１乃至請求項３記載の電池ホルダーの基板上に電子回路を搭載して前記接点と該電子回路を接続したことを特徴とする電子回路内蔵印刷物。
【発明の詳細な説明】
【０００１】
【発明の属する技術分野】
本発明は、音の出るカードや、音や光等を発する書籍、等の電子回路を内蔵した印刷物に適用可能な電池載置装置を提供するものであり、電池を容易に交換可能とするとともに、未使用時には平板状にすることができる電池ホルダーを提供するものである。
【０００２】
【従来技術】
従来、平面状の電子回路内蔵印刷物、例えば音の出るカードでは薄型の電池を使用し、この電池を電子回路とともにカード内に内蔵している。
また、音や光の出る書籍には電子回路および電池ホルダーをプラスチック成形品により形成し、この成形品を書籍等に貼り合わせるものもあった。
【０００３】
【発明が解決しようとする課題】
しかし、従来の電池内蔵型の電子回路内蔵印刷物は電池交換ができない問題があり、後者のプラスチック成形品を用いるタイプは厚みが厚くなることのほか、書籍の頁等にスイッチを設けて電子回路を作動させることができないため、印刷内容と電子回路の動作を関連づけることが困難であった。
【０００４】
【課題を解決するための手段】
本発明は、カード・書籍等の印刷物に電子回路を内蔵した電子回路内蔵印刷物に設けられた電池ホルダーであって、厚紙からなる基板に周回する折線を設けるとともに、この折線の内側を切り込み線により対向する一対の電極部と対向する一対の電池保持部とに区画するとともに、前記対向する一対の電極部には、導電性インキにより接点および回路パターンを印刷した電極シートを貼り合わせし、前記接点と保持する電池の電極とが接触し、前記回路パターンが印刷物の電子回路に接続するようにしたことを特徴とする折り畳み自在な電池ホルダーである。
【０００５】
本発明はまた、カード・書籍等の印刷物に電子回路を内蔵した電子回路内蔵印刷物に設けられた電池ホルダーであって、該電池ホルダーは厚紙に電池と嵌合する開口部を設け、この開口部内に対向する一対の電極部と対向する一対の電池保持部とを設け、前記電極部の端部を越えて電極シートを延設し、電池を開口部に押し込んだときに前記電極シートの接点が電池の電極と弾性的に接触するように構成したことを特長とする電池ホルダーである。
【０００６】
該電極部の端部を越える電極シート部分を、印刷した接点が電池の電極に接するように、前記端部近傍にて折り曲げするとよい。
【０００７】
前記電池保持部はさらに電池装着時に電池を安定に保持する電池保持補助部材を備えるようにするとよく、電池保持補助部材を対向する電池保持部の凹部と凸部の切り込み形状により構成することができ、また、電池保持補助部材を対向する電池保持部を結合する紙、布、フィルムの柔軟な帯からなるようにすることもできる。
【０００８】
本発明請求項７の発明は、請求項１乃至請求項３記載の電池ホルダーの基板上に電子回路を搭載して前記接点と該電子回路を接続したことを特徴とする電子回路内蔵印刷物である。
【０００９】
【発明の実施の形態】
以下、本発明について図示する実施形態に基づいて説明する。
【００１０】
図１は本発明の電池ホルダー１を雑誌に綴じ込んだ例を示す図であり、図２は図１のＡ−Ａ’断面図、図３は基板２の平面図、図４に電極シート４の平面図である。
【００１１】
図１に示すように、電池ホルダ１には折線１１が設けられ、この折線１１に囲まれた部分は切り込み線１２が施され、折線１１の内側は折線１１ｂ（１１ｄ）と切り込み線１２ａ（１２ｃ）で囲まれた対向する一対の電極部と、折線１１ａ（１１ｃ）と切り込み線１２ｂで囲まれた対向する一対の電池保持部に分割されている。電池ホルダ１には回路パターン５、５’が形成され、電子回路１０は回路パターン５、５’を介して電極部上の接点５ａ、５ａ’と接続されている。
【００１２】
電池ホルダ１は図２に示すように、基板２の上に、接着層３を介して導電性インキで回路パターン５、５’が印刷された電極シート４が接着されている。電池ホルダ１の表側には表紙６が丁合され、裏側には複数の頁７と裏表紙８が丁合されている。基板２には切り込み線１２に沿って切り込み加工が施されるとともに、折線１１、１３とに沿ってハーフカットが施されており、折線１１に囲まれた部分に電池Ｂを押し込んで使用するようになっている。
【００１３】
基板２は図３に示すように、折線１１の内側が、切り込み線１２によって、折線１１ｂ（１１ｄ）と切り込み線１２ａ（１２ｃ）で囲まれた対向する一対の電極部２ｂ（２ｄ）と、折線１１ａ（１１ｃ）と切り込み線１２ｂで囲まれた対向する一対の電池保持部２ａ（２ｃ）に分割されている。
【００１４】
電極シート４は図４に示すように、折線１１ａ、切り込み線１２ａ、接点５の端部１４、切り込み線１２ａ、折線１１ｃ、切り込み線１２ｃ、接点５’の端部１４’、切り込み線１２ｃに沿って切り抜かれており、折線１１ｂと切り込み線１２ａ、接点５の端部１４、切り込み線１２ａで囲まれた電極部４ａ上の回路パターン５が接点５ａとして機能し、折線１１ｄと切り込み線１２ｃ、接点５’の端部１４’、切り込み線１２ｃで囲まれた電極部４ａ’上の回路パターン５’が接点５ａ’として機能する。
【００１５】
また、電極シート４は電極部４ａ、４ａ’を除いて基板２に接着層３により接着されている。
【００１６】
図５は電池ホルダーを押し込んだ状態を説明する図であり、折線１１に囲まれた部分に電池Ｂを押し当てると、基板２の電極部２ｂ、２ｄと、電池保持部２ａ、２ｃは裏側に向かって略直角になるまで折り曲げられ、電池と嵌合する幅の開口部９が開口する。
【００１７】
図６は図５のｂ−ｂ’断面図であり、電池Ｂが電極シート４側から押し込まれることにより、折線１１ｂ、１１ｄで電極シート４の電極部４ａ、４ａ’と、基板２の電極部２ｂ、２ｄが背面側に折り曲げられている。電極部の接点５ａ、５ａ’は電極シート４の弾性により電池Ｂの電極に押し付けられるとともに、基板２の弾性によっても電池の電極に押し付けられている。
【００１８】
電極部４ａ、４ａ’を電極部２ｂ、２ｄとともに略直角に折り曲げらた際に開口する開口部９の長さＬは電池と嵌合するように電池の長さより少し短くしてあり、基板２により強固に電池を保持することができる。
【００１９】
図７は図５のｃ−ｃ’断面図であり、基板２の電池保持部２ａ、２ｃは電池Ｂにより背面側に略直角に折り曲げられている。電池保持部２ａ、２ｃが略直角に折り曲げられた際の開口部９の幅Ｗは電池Ｂと嵌合するように電池の直径より少し小さくしてあり、電池保持部２ａ、２ｃは基板２により強固に電池を保持することができる。
【００２０】
また、電池保持部あるいは電極部のどちらか一方だけを電池と嵌合するようにしてもよく、電池と嵌合しない電池保持部または電極部は、折り曲げられた基板２の弾性により電池を保持又押し当てられることになる。
【００２１】
基板２には１ｍｍ乃至２ｍｍの厚紙を用いるとよく、電極シート４にはポリエチレンフィルム、二軸延伸ポリエステルフィルム等の樹脂フィルムが使用でき、回路パターン５は導電性インキをスクリーン印刷法で形成するとよい。
【００２２】
図８は折線および切り込み線の形状を変えた他の実施例であり、図９は図８の電極部の部分拡大図、図１０は図８のｄ−ｄ’断面図、図１１は電池を押し込んだ際の図８のｄ−ｄ’断面図およびｅ−ｅ’断面図である。
【００２３】
図８に示す電池ホルダは折線１６の内側を、切り込み線１７で電池保持部１５ａ、１５ｃ電極部１５ｂ、１５ｄに区画している。また、切り込み線１７の凹部１７ｂにより形成された電池保持部１５ｃの突出部と、凸部１７ａにより形成された電池保持部１５ａの突出部が電池保持補助部材として機能し、図１１（ａ）に示すように折り曲げた際に引っ掛かり、電池を安定に保持するようになっている。
【００２４】
電極部に設けた接点２１、２１’は図９に示すように電極部１５ｂ、１５ｄの端部１７を越えて延設されている。接点２１、２１’は電池Ｂと電子回路１０を接続する回路パターン２０の一部であり、図１０に示すようにポリエチレンフィルムからなる電極シート１９に銀ペーストを印刷して接点２１、２１’と回路パターン２０が一体に形成し、この導体層が形成された電極シート１９は図４の電極シートと同じ形状に打ち抜き、基板１５に接着剤層１８により貼り合わされている。
【００２５】
そして、電極フィルム１９の接点２１、２１’は１５ｂ、１５ｄの端を越えて延長されており、延長された部分は裏に基板がないため、図１１（Ｂ）に示すように、しなやかに電池に接するので、確実に接触を保つことができる。
【００２６】
図１２は電池ホルダの他の実施例を示す図であり、電池を押し込む側とは反対から見た図である。図１３は図１２のｆ−ｆ’断面図である。
【００２７】
基板２５は折線２６の内側が、切り込み線２７によって、対向する一対の電極部２５ｂ（２５ｄ）と、対向する一対の電池保持部２５ａ（２５ｃ）に分割されている。電池保持部２５ａと２５ｃには電池の脱落を防止する電池保持補助部材３３が図１３に示すように接着剤３２により貼着されている。基板２５の他の面には回路パターン３０と接点３１が設けられた電極シート２９が接着剤２８により貼り合わされている。
【００２８】
電池保持補助部材３３には紙、布、フィルム等の柔軟な帯を使用し、電池保持部２５ａと電池保持部２５ｃが電池保持補助部材３３の両端に結合されているので、電池を押し込んでいくと、図１３（ｂ）に示すように、電池保持部が折り曲げられ、電池保持部２５の端部と電池保持補助部材３３により電池Ｂが保持される。
【００２９】
図１４は接点２１、３１の変形例を示す図であり、この実施例ではポリエチレンフィルムからなる電極シート３７に銀ペーストを印刷して回路パターン３６を形成し、この回路パターンを設けた電極シート３７を電極部１５ｂ（１５ｄ、２５ｂ、２５ｄ）の端部から長さＢだけはみ出すような形状で打ち抜き、接着層３５により回路パターン３６を形成してある面を基材１５（２５）に接着してあり、はみ出した電極シート３７を回路パターンが外側になるように折り曲げてあるので、電池を押し込む際には、回路パターン３６の折り曲げられた接点部分３８が弾性的に電池の電極に押し当てられることになり、電池の電極との接触が確実になる。
【００３０】
図１５は接点２１、３１の他の変形例を示す図であり、この実施例ではポリエチレンフィルムからなる電極シート４１に銀ペーストを印刷して回路パターン４３を形成し、この回路パターンを設けた電極シート４１を電極部１５ｂ（１５ｄ、２５ｂ、２５ｄ）の端部からはみ出すような形状で打ち抜き、接着層４０により電極部の端部Ａを除いて接着することにより、接着層４０をもうけていない端部Ａに、はみ出した電極シート４１を回路パターン４３を外側に折り曲げて差し込めるので、電池を押し込む際には、電極シート４１の折り曲げられた部分により電池の電極との接触が確実になる。
【００３１】
【発明の効果】
以上、説明したとおり、本発明の電池ホルダーは使用前の出荷時には平板状であるので、電子回路を内蔵したカード、書籍等の印刷物に電池交換可能な電池ホルダーを組み込んで、印刷物同様に流通させることが可能である。
また、一旦使用開始した際にも、未使用時には展開して平板状に戻すことができるので、書棚等に容易収納できる。
【図面の簡単な説明】
【図１】  本発明の電池ホルダーを設けた書籍の表紙を開いた状態の斜視図
【図２】  図１のａ−ａ’断面図。
【図３】  図１の基板２層の平面図。
【図４】  図１の電極シート４の平面図。
【図５】  図１の実施例で電池を押し込んだ状態の平面図。
【図６】  図５のｂ−ｂ’断面図。
【図７】  図５のｃ−ｃ’断面図。
【図８】  本発明の他の実施例の平面図。
【図９】  図８の電極部の部分拡大図。
【図１０】  図８のｄ−ｄ’断面図。
【図１１】  図８の実施例において電池を押し込んだ状態の断面図。
【図１２】  本発明の他の実施例の平面図。
【図１３】  図１２のｆ−ｆ’断面図。
【図１４】  図８、図１２の２１、３１の変形例を示す図。
【図１５】  図８、図１２の２１、３１の他の変形例を示す図。
【符号の説明】
１：電池ホルダ
２、１５、２５：基板
２ｂ、２ｄ、１５ｂ、１５ｄ、２５ｂ、２５ｄ：電極部
２ａ、２ｃ、１５ａ、１５ｃ、２５ａ、２５ｃ：電池保持部
４、１９、２９、３７、４１：電極シート
５ａ、５ａ’、２１、２１’、３１、３１’、３８、４３：接点
１１、１６、２６：折線
１２、１７、２７：切り込み線
１０：電子回路
３３：電池保持補助部材
【図１】
0003688041.tif 000002
【図２】
0003688041.tif 000003
【図３】
0003688041.tif 000004
【図４】
0003688041.tif 000005
【図５】
0003688041.tif 000006
【図６】
0003688041.tif 000007
【図７】
0003688041.tif 000008
【図８】
0003688041.tif 000009
【図９】
0003688041.tif 000010
【図１０】
0003688041.tif 000011
【図１１】
0003688041.tif 000012
【図１２】
0003688041.tif 000013
【図１３】
0003688041.tif 000014
【図１４】
0003688041.tif 000015
【図１５】
0003688041.tif 000016